(57)【要約】  本発明は、コネクターの検知ピンにおける電圧信号を監視するステップと、前記検知ピンにおける電圧信号によって、第１の電圧制御信号を発生させるステップと、前記第１の電圧制御信号によって、出力電圧を調節し、コネクターの第１の充電ピンを介して出力させるステップと、を含む知的認識充電方法及び知的認識充電装置、並びにコネクターを開示する。本発明は、コネクターの検知ピンにおける信号を採集し、この検知ピンで採集した信号によって電圧制御を行い、対応する電圧を出力させることによって、異なる電子設備を充電して、従来の技術における各種の電子製品の電源アダプターがマッチングしていない問題を解決した。同時に、本発明は、ＵＳＢインターフェースによる接続にも対応でき、ＵＳＢコネクターで接続充電を行う電子設備に対する充電を実現した。【選択図】図６
2014522228.tif 000002
【特許請求の範囲】
【請求項１】
検知ピン及び第１の充電ピンを備えるコネクターによって充電設備を充電する知的認識充電方法であり、
コネクターの検知ピンにおける電圧信号を監視するステップと、
前記検知ピンにおける電圧信号によって、第１の電圧制御信号を発生させるステップと、
前記第１の電圧制御信号によって、電圧の大きさを調節し、コネクターの第１の充電ピンを介して出力させるステップと、を含むことを特徴とする知的認識充電方法。
【請求項２】
第１の電圧制御信号によって、電圧の大きさを調節し、コネクターの第１の充電ピンを介して出力させる前記ステップの後に、
前記第１の充電ピンにおける電圧信号を採集するステップと、
前記検知ピンにおける電圧信号と前記第１の充電ピンにおける電圧信号とを組合せて、１つの電圧合成信号を形成するステップと、
前記電圧合成信号によって、第２の電圧制御信号を発生させるステップと、
前記第２の電圧制御信号によって、電圧の大きさを調節し、前記第１の充電ピンを介して出力させるステップと、を更に含むことを特徴とする請求項１に記載の知的認識充電方法。
【請求項３】
前記出力電圧の調節には、ＰＷＭパルス幅変調を含むことを特徴とする請求項２に記載の知的認識充電方法。
【請求項４】
前記コネクターは、第２の充電ピンを更に備え、コネクターの検知ピンにおける電圧信号を監視する前記ステップは、
コネクターの検知ピンにおいて信号が発生したかどうかを判断し、はいの場合にＵＳＢ充電回路をオフにして、検知ピンにおける電圧信号を採集するステップと、
いいえの場合にＵＳＢ充電回路をオンにして、前記ＵＳＢ充電回路によって出力電圧を発生させて前記第２の充電ピンを介して出力させるステップと、を含むことを特徴とする請求項１〜３のいずれかに記載の知的認識充電方法。
【請求項５】
検知ピン及び第１の充電ピンを備えるコネクターによって充電設備に接続される知的認識充電装置であり、
前記検知ピンに接続され、検知ピンにおける信号を監視することに用いられる監視ユニットと、
前記監視ユニットに接続され、監視ユニットの採集した電圧信号によって、第１の電圧制御信号を発生させることに用いられる電圧制御ユニットと、
前記電圧制御ユニットに接続され、電圧制御ユニットの発生した第１の電圧制御信号によって、電圧の大きさを調節し、前記第１の充電ピンを介して出力させる電圧出力ユニットと、を含むことを特徴とする知的認識充電装置。
【請求項６】
前記電圧制御ユニットは、主に、監視ユニットの採集した電圧信号を閾値電圧と比較して、比較結果によって第１の電圧制御信号を発生させることに用いられることを特徴とする請求項５に記載の知的認識充電装置。
【請求項７】
前記第１の充電ピンに接続され、第１の充電ピンにおける電圧信号を採集することに用いられる電圧サンプリングユニットと、
前記検知ピンにおける電圧信号と前記第１の充電ピンにおける電圧信号とを組合せて、１つの電圧合成信号を形成する電圧合成ユニットと、
前記電圧合成信号によって、第２の電圧制御信号を発生させることにも用いられる前記電圧制御ユニットと、
前記第２の電圧制御信号によって、電圧の大きさを調節し、前記第１の充電ピンを介して出力させる前記電圧出力ユニットと、を更に含むことを特徴とする請求項５に記載の知的認識充電装置。
【請求項８】
前記電圧合成信号は、検知ピンにおける電圧信号と第１の充電ピンにおける電圧信号とに対してロジック組合せ又は加減演算を行うことによって取得されることを特徴とする請求項７に記載の知的認識充電装置。
【請求項９】
前記電圧出力ユニットは、ＰＷＭパルス幅変調回路を含むことを特徴とする請求項５に記載の知的認識充電装置。
【請求項１０】
ＵＳＢ充電回路を更に含み、前記コネクターは、第２の充電ピンを更に備え、前記監視ユニットは、
前記検知ピンにおいて信号が発生したかどうかを判断して、はいの場合にＵＳＢ充電回路をオフにし、検知ピンにおける電圧信号を採集し、
いいえの場合にＵＳＢ充電回路をオンにし、出力電圧を発生させて前記第２の充電ピンを介して出力させることにも用いられることを特徴とする請求項５〜９のいずれかに記載の知的認識充電装置。
【請求項１１】
監視ユニット、電圧制御ユニット及び電圧出力ユニットを含む請求項５に記載の知的認識充電装置に接続されるコネクターであり、
前記監視ユニットに接続され、前記監視ユニットに信号を採集され、電圧制御ユニットが採集した信号によって、第１の電圧制御信号を発生させることに用いられる検知ピンと、
前記電圧出力ユニットに接続され、前記電圧出力ユニットが第１の電圧制御信号によって調節した電圧を出力させることに用いられる第１の充電ピンと、を含むことを特徴とするコネクター。
【請求項１２】
前記ＵＳＢ充電回路に接続され、前記ＵＳＢ充電回路の発生した電圧を出力させることに用いられる第２の充電ピンを更に含むことを特徴とする請求項１１に記載のコネクター。
【請求項１３】
前記コネクターが雌コネクターであることを特徴とする請求項１２に記載のコネクター。
【請求項１４】
前記コネクターが雄コネクターであり、その検知ピンが内部抵抗に接続され、前記内部抵抗の一端が検知ピンに接続され、他端がアースに接続されることを特徴とする請求項１２に記載のコネクター。
【発明の詳細な説明】
【技術分野】
【０００１】
本発明は、充電技術分野に関し、特に、知的認識充電方法及び知的認識充電装置、並びにコネクターに関する。
【背景技術】
【０００２】
例えば、携帯電話、ノートパソコン等の製品のような各種の電子製品が広く用いられるに伴って、リチウム電池は、その蓄積エネルギーが高く、使用寿命が長く、体積が小さい等の特徴でこのような電子製品に広く適用されてくる。しかし、リチウム電池は、基本的に各種の電子製品によっては単独でパッケージされており、お互いに共通していないので、各種の電子製品にそれぞれの充電設備を提供する必要がある。
【０００３】
現在の電子類製品の電源ポートに用いられたコネクターは、電圧に対するニーズの差異性によって、外形でも、構造や機能でも大きく異なり、それぞれが相違しており、統一な標準がなく、異なる電子製品に異なる電源充電器が必要として、資源の浪費になると共に、異なる電子製品を使用するユーザーが外出時にたくさんの異なる電源充電器を持っていく必要があることで悩んでいる。
【発明の概要】
【発明が解決しようとする課題】
【０００４】
本発明は、異なる電子製品に対する充電を実現することを旨として、知的認識充電方法を提供することを主な目的とする。
【課題を解決するための手段】
【０００５】
本発明は、検知ピン及び第１の充電ピンを備えるコネクターによって電子設備を充電する知的認識充電方法であり、
コネクターの検知ピンにおける電圧信号を監視するステップと、
前記検知ピンにおける電圧信号によって、第１の電圧制御信号を発生させるステップと、
前記第１の電圧制御信号によって、電圧の大きさを調節し、コネクターの第１の充電ピンを介して出力させるステップと、を含む知的認識充電方法を提供する。
【０００６】
好ましくは、第１の電圧制御信号によって、電圧の大きさを調節し、コネクターの第１の充電ピンを介して出力させる前記ステップの後に、
前記第１の充電ピンにおける電圧信号を採集するステップと、
前記検知ピンにおける電圧信号と前記第１の充電ピンにおける電圧信号とを組合せて、１つの電圧合成信号を形成するステップと、
前記電圧合成信号によって、第２の電圧制御信号を発生させるステップと、
前記第２の電圧制御信号によって、電圧の大きさを調節し、前記第１の充電ピンを介して出力させるステップと、を更に含む。
【０００７】
好ましくは、前記出力電圧の調節には、ＰＷＭパルス幅変調を含む。
【０００８】
好ましくは、前記コネクターは、第２の充電ピンを更に備え、コネクターの検知ピンにおける電圧信号を監視する前記ステップは、
コネクターの検知ピンにおいて信号が発生したかどうかを判断し、はいの場合にＵＳＢ充電回路をオフにし、検知ピンにおける電圧信号を採集するステップと、
いいえの場合にＵＳＢ充電回路をオンにし、前記ＵＳＢ充電回路によって出力電圧を発生させて前記第２の充電ピンを介して出力させるステップと、を含む。
【０００９】
本発明は、検知ピン及び第１の充電ピンを備えるコネクターによって充電設備に接続される知的認識充電装置であり、
前記検知ピンに接続され、検知ピンにおける信号を監視することに用いられる監視ユニットと、
前記監視ユニットに接続され、監視ユニットの採集した電圧信号によって、第１の電圧制御信号を発生させることに用いられる電圧制御ユニットと、
前記電圧制御ユニットに接続され、電圧制御ユニットの発生した第１の電圧制御信号によって、電圧の大きさを調節し、前記第１の充電ピンを介して出力させる電圧出力ユニットと、を含む知的認識充電装置を更に提供する。
【００１０】
好ましくは、前記電圧制御ユニットは、主に、
監視ユニットの採集した電圧信号を閾値電圧と比較して、比較結果によって第１の電圧制御信号を発生させることに用いられる。
【００１１】
好ましくは、前記充電装置は、
前記第１の充電ピンに接続され、第１の充電ピンにおける電圧信号を採集することに用いられる電圧サンプリングユニットと、
前記検知ピンにおける電圧信号と前記第１の充電ピンにおける電圧信号とを組合せて、１つの電圧合成信号を形成する電圧合成ユニットと、
前記電圧合成信号によって、第２の電圧制御信号を発生させることにも用いられる前記電圧制御ユニットと、
前記第２の電圧制御信号によって、電圧の大きさを調節し、前記第１の充電ピンを介して出力させることにも用いられる前記電圧出力ユニットと、を更に含む。
【００１２】
好ましくは、前記電圧合成信号は、検知ピンにおける電圧信号と第１の充電ピンにおける電圧信号とに対してロジック組合せ又は加減演算を行って取得される。
【００１３】
好ましくは、前記電圧出力ユニットは、ＰＷＭパルス幅変調回路を含む。
【００１４】
好ましくは、前記充電装置は、ＵＳＢ充電回路を更に備え、前記コネクターは、第２の充電ピンを更に含み、前記監視ユニットは、
前記検知ピンにおいて信号が発生したかどうかを判断し、はいの場合にＵＳＢ充電回路をオフにし、検知ピンにおける電圧信号を採集し、
いいえの場合にＵＳＢ充電回路をオンにし、出力電圧を発生させて前記第２の充電ピンを介して出力させることにも用いられる。
【００１５】
本発明は、監視ユニット、電圧制御ユニット及び電圧出力ユニットを含む前記知的認識充電装置に接続されるコネクターであり、
前記監視ユニットに接続され、前記監視ユニットに信号を採集され、電圧制御ユニットが採集した信号によって、第１の電圧制御信号を発生させることに用いられる検知ピンと、
前記電圧出力ユニットに接続され、前記電圧出力ユニットが第１の電圧制御信号によって調節した電圧を出力させることに用いられる第１の充電ピンと、を含むコネクターを更に提供する。
【００１６】
好ましくは、前記コネクターは、前記ＵＳＢ充電回路に接続され、前記ＵＳＢ充電回路の発生した電圧を出力させることに用いられる第２の充電ピンを更に含む。
【００１７】
好ましくは、前記コネクターが雌コネクターである。
【００１８】
好ましくは、前記コネクターが雄コネクターであり、その検知ピンが内部抵抗に接続され、前記内部抵抗の一端が検知ピンに接続され、他端がアースに接続される。
【発明の効果】
【００１９】
本発明は、コネクターの検知ピンにおける信号を採集し、この採集した検知ピンにおける信号によって電圧制御を行い、対応する電圧を出力させることで、異なる電子設備を充電する。同時に、本発明は、ＵＳＢインターフェースによる接続にも対応でき、ＵＳＢコネクターで接続充電を行う電子設備に対する充電を実現する。
【図面の簡単な説明】
【００２０】
【図１】本発明に係る知的認識充電装置の実施例の構造模式図である。
【図２ａ】本発明に係る知的認識充電装置における雌コネクターの実施例の内部構造模式図である。
【図２ｂ】本発明に係る知的認識充電装置の電子設備に適用される雄コネクターの実施例の内部構造模式図である。
【図３】本発明に係る知的認識充電装置の更に１つの実施例の構造模式図である。
【図４】本発明に係る知的認識充電装置の実施例の回路構造模式図である。
【図５】本発明に係る知的認識充電装置の更に１つの実施例におけるＵＳＢ充電回路の回路構造模式図である。
【図６】本発明に係る知的認識充電方法の実施例の流れ模式図である。
【図７】本発明に係る知的認識充電方法の更に１つの実施例の流れ模式図である。
【発明を実施するための形態】
【００２１】
本発明の目的の実現、機能特徴及び長所について、実施例によって添付図面を参照しながら更に説明する。
【００２２】
ここで述べた具体的な実施例は、本発明を説明するためのものだけであり、本発明を限定しないことを理解すべきである。
【００２３】
従来の技術において、各種の電子製品のポートに用いられた電源ポートは、電圧に対するニーズの差異性によって、外形でも、構造や機能でも大きく異なり、それぞれが相違している。例えば、携帯電話、ＭＰ３、ブルートゥースヘッドセット、パネルコンピュータ、携帯型プロジェクター、携帯型プリンタ等の製品のポートがいずれも標準なＵＳＢコネクターを採用できるが、一般のノートパソコン等の製品のポートがそれとマッチングする専用電源ポートを採用する必要がある。それによって、異なる電子製品に異なる電源アダプターが必要とされ、使用上不便であるだけではなく、資源浪費にもなる。
【００２４】
本発明に係る知的認識充電装置の実施例の構造模式図である図１を参照する。この知的認識充電装置は、検知ピン２１及び第１の充電ピン２２を備えるコネクター２０によって充電設備に接続される。知的認識充電装置は、
検知ピン２１における電圧信号を監視することに用いられる監視ユニット１１と、
前記監視ユニット１１に接続され、監視ユニット１１の採集した検知ピン２１における電圧信号によって、第１の電圧制御信号を発生させることに用いられる電圧制御ユニット１２と、
電圧制御ユニット１２に接続され、電圧制御ユニット１２の発生した第１の電圧制御信号によって、電圧の大きさを調節し、第１の充電ピン２２を介して出力させる電圧出力ユニット１３と、を含む。
【００２５】
上述したコネクター２０は、充電設備に接続される雄コネクター２０ａと、知的認識充電装置に接続される雌コネクター２０ｂとを備える。本発明に係る知的認識充電装置に適用される雌コネクターの実施例の構造模式図である図２ａを参照する。この雌コネクター２０ａにおいて、ピンｐｉｎ１及びピンｐｉｎ２が第１の充電ピン２２ａであり、ピンｐｉｎ４及びピンｐｉｎ８が接地ピンであり、ピンｐｉｎ３が検知ピン２１ａであり、ピンｐｉｎ５、ピンｐｉｎ６及びピンｐｉｎ７が例えば信号伝送等のようなその拡充機能に用いられる。ここでは、この雌コネクター２０ａが上述したピン数に限定されないことを説明すべきである。本発明に係る知的認識充電装置の電子設備側に適用される雄コネクターの実施例の構造模式図である図２ｂを参照する。この雄コネクター２０ｂにおいて、ピンｐｉｎ１及びピンｐｉｎ２が第１の充電ピン２２ｂであり、ピンｐｉｎ４が接地ピンであり、ピンｐｉｎ３が検知ピン２１ｂであり、この検知ピン２１ｂと接地ピンとの間に抵抗Ｒ２９がさらに接続されている。雌コネクター２０ａと雄コネクター２０ｂとが接続し、且つ雄コネクター２０ｂと充電設備とが接続すると、雄コネクター２０ｂ３０の検知ピン２１ｂに接続された抵抗Ｒ２９が知的認識充電装置に接続され、そして監視ユニット１１によって雌コネクター２０ａにおける検知ピン２１ａが接続されたことを監視でき、この検知ピン２１ａにおける電圧信号を採集して、電圧制御ユニット１２に伝送する。
【００２６】
電圧制御ユニット１２は、監視ユニット１１の採集した電圧信号を閾値電圧と比較し、この比較結果によって第１の電圧制御信号を生成させて、電圧出力ユニット１３の発生した電圧の大きさを調節し、第１の充電ピン２２ａを介して出力させることができる。
【００２７】
本実施例に係る知的認識充電装置は、雌コネクター２０ａの検知ピン２１ａにおける信号を採集し、この採集した検知ピン２１ａにおける信号によって制御を行って、対応する電圧を出力させることで、異なる充電設備を充電する。
【００２８】
図３を参照し、上述した知的認識充電装置は、
第１の充電ピン２２ａに接続され、第１の充電ピン２２ａにおける電圧信号を採集することに用いられる電圧サンプリングユニット１４と、
前記検知ピン２１ａにおける電圧信号と前記第１の充電ピン２２ａにおける電圧信号とを組合せて、１つの電圧合成信号を形成する電圧合成ユニット１５と、
前記電圧合成信号と閾値電圧とを比較して、第２の電圧制御信号を発生させ、電圧出力ユニット１３がこの第２の電圧制御信号によって、出力電圧の大きさを調節し、第１の充電ピン２２ａを介して出力させることにも用いられる電圧制御ユニット１２とを更に含む。
【００２９】
上述した電圧合成ユニット１５は、前記検知ピン２１ａにおける電圧信号と前記第１の充電ピン２２ａにおける電圧信号とに対してロジック組合せ又は加減演算等の処理を行って、１つの電圧合成信号を形成する。
【００３０】
出力電圧に対する採集、比較、調節等を繰り返す過程によって、出力電圧の安定した出力を実現でき、充電設備とマッチングする充電電圧を出力させる。この出力電圧の調節は、ＰＷＭパルス幅変調又は他の昇圧/降圧回路変調等であってよい。
【００３１】
本発明に係る知的認識充電装置の実施例の回路構造図である図４を参照する。上述した監視ユニット１１及び電圧制御ユニット１２が１つのプロセッサチップＵ１に集積されてよく、プロセッサチップＵ１のポート１が雌コネクター２０ａの検知ピンｐｉｎ３に接続され、プロセッサチップＵ１のポート８が電圧出力ユニット１３に接続される。まず、この電圧出力ユニット１３が出力電圧（例えば１２Ｖ）を既定的に出力することを説明する必要がある。充電設備が雄コネクター２０ｂによって雌コネクター２０ａに接続されると、雄コネクター２０ｂの内部抵抗Ｒ２９が雌コネクター２０ａの検知ピンｐｉｎ３によってチップＵ１のポート１に接続され（図におけるＡ記号のように）、そしてプロセッサチップＵ１における監視ユニット１１が検知ピンｐｉｎ３における電圧信号を採集し、且つポート１を介してプロセッサチップＵ１の電圧制御ユニット１２に入力させ、電圧制御ユニット１２がこの監視ユニット１１の採集した電圧信号を閾値電圧とを比較し、比較結果（閾値電圧が採集した電圧信号よりも大きい）によって第１の電圧制御信号を発生させ、且つプロセッサチップＵ１のポート８を介して電圧出力ユニット１３に出力させ、電圧出力ユニット１３がこの第１の電圧制御信号によって調節を行ってより高い出力電圧を発生させ、且つ雌コネクター２０ａの第１の充電ピンｐｉｎ１及びｐｉｎ２を介して出力させて、充電設備に対する充電を実現する。
【００３２】
上述した電圧サンプリングユニット１４は、サンプリング抵抗Ｒ３３及び分圧抵抗Ｒ３５を含む。このサンプリング抵抗Ｒ３３の一端が雌コネクター２０ａの第１の充電ピンｐｉｎ１及びｐｉｎ２に接続され、他端が分圧抵抗Ｒ３５に接続され、分圧抵抗Ｒ３５のサンプリング抵抗Ｒ３３に接続された一端がプロセッサチップＵ１のポート１に接続され、他端がアースに接続される。電圧サンプリングユニット１４の採集した電圧信号と監視ユニット１１の採集した検知ピンｐｉｎにおける電圧信号がプロセッサチップＵ１のポート１で１つの電圧合成信号を形成し、電圧制御ユニット１２がそれを閾値と比較して、第２の電圧制御信号を出力させ、電圧出力ユニット１３がこの第２の電圧制御信号によって調節を行い、このように採集、比較、調節等の過程を繰り返すことによって、充電設備とマッチングする充電電圧を出力できる。例えば、電圧サンプリングユニット１４の採集した電圧信号が充電設備とマッチングする充電電圧よりも高い場合に、電圧合成信号が大きくなり、電圧制御ユニット１２がそれを閾値と比較する時に、対応する電圧制御信号を出力して、電圧出力ユニット１３の低下電圧の大きさを制御して、第１の充電ピン２２ａを介して出力させることができる。
【００３３】
異なる充電装置に用いる雄コネクター２０ｂの内部抵抗Ｒ２９が一致していなく、この内部抵抗Ｒ２９の値が充電装置の充電電圧によって決められて、内部抵抗Ｒ２９が知的認識充電装置に接続され、プロセッサチップポート１に採集された電圧値が閾値とバランスを取った時に、その出力電圧が知的認識充電装置の充電電圧に対応することが保証される。従って、異なる充電装置が雄コネクター２０ｂによって雌コネクター２０ａに接続されるときに、内部抵抗Ｒ２９が知的認識充電装置に接続され、知的認識充電装置が充電装置に対応する充電電圧を発生させる入力電圧を調節できる。
【００３４】
多くの電子製品はＵＳＢコネクターで他の設備に接続されて充電されることができるが、本発明に係る知的認識充電装置は、ＵＳＢインターフェースによる接続にも対応できる。図２ａ及び図２ｂを参照し、上述した雌コネクター２０ａは、第２の充電ピン２３ａ、即ち図２ａにおけるピンｐｉｎ５を更に備え、ピンｐｉｎ８とピンｐｉｎ４がいずれも接地ピンであり、アースに接続される。それに対応する雄コネクター２０ｂにおいて、ピンｐｉｎ５が第２の充電ピン２３ｂであり、ピンｐｉｎ８とピンｐｉｎ４がいずれも接地ピンであり、アースに接続される。
【００３５】
図５に示すように、上述した知的認識充電装置は、ＵＳＢ充電回路を更に含む。上述した監視ユニット１１は、具体的には、雌コネクター２０ａの検知ピン２１ａにおいて信号が発生したかどうかを判断し、はいの場合にＵＳＢ充電回路をオフにし、検知ピン２１ａにおける電圧信号を採集し、いいえの場合にＵＳＢ充電回路をオンにし、このＵＳＢ充電回路によって出力電圧を発生させて前記雌コネクター２０ａの第２の充電ピン２３ａを介して出力させることに用いられる。このＵＳＢ充電回路は、常にオンになっている状態であり、即ちＵＳＢ充電回路が常に電圧を出力しており、充電設備がＵＳＢコネクターによって雌コネクター２０ａに接続されると、ＵＳＢコネクターの各ピンがそれぞれ雌コネクター２０ａのピンｐｉｎ５、ピンｐｉｎ６、ピンｐｉｎ７及びピンｐｉｎ８に接続され、ＵＳＢ充電回路の発生した電圧が雌コネクター２０ａの第２の充電ピン２３ａを介して出力され、ＵＳＢコネクターで充電接続を行う充電設備に対する充電を実現する。しかし、電子設備が上述した雄コネクター２０ｂによって雌コネクター２０ａに接続されると、雌コネクター２０ａの検知ピン２１ａが接続され、その接続される抵抗Ｒ２９が信号を発生させ、そして監視ユニット１１がＵＳＢ充電回路をオフにし、電圧出力ユニット１３が対応する電圧を発生させて雌コネクター２０ａの第１の充電ピンｐｉｎ１、ｐｉｎ２を介して出力させ、異なる充電設備に対する充電を実現する。ここで、本実施例に係る知的認識充電装置に用いられたコネクターが例えばノートパソコンのような異なる電子製品に対する充電を実現でき、ＵＳＢ接続にも対応でき、ＵＳＢインターフェースによって接続される電子製品に対する充電を実現できることを説明する必要がある。勿論、このコネクターは、充電機能に限定されなく、データ伝送機能をも実現できる。１つのコネクターによって上述した２種類の異なる電子製品に対する充電又は伝送機能を実現できるコネクターは、いずれも本発明の特許請求の範囲内に含まれる。
【００３６】
本実施例は、雌コネクター２０ａの検知ピン２１ａにおける電圧信号を採集してこの電圧信号によって対応する電圧を出力させることで、異なる充電設備とマッチングして充電することができるだけではなく、ＵＳＢインターフェースによる充電設備の充電にも対応できる。
【００３７】
本発明に係る知的認識充電方法の実施例の流れ模式図である図６を参照する。この知的認識充電方法は、検知ピン及び第１の充電ピンを備えるコネクターによって充電設備を充電するものであり、
コネクターの検知ピンにおける電圧信号を監視するステップＳ１０１と、
前記検知ピンにおける電圧信号によって、第１の電圧制御信号を発生させるステップＳ１０２と、
前記第１の電圧制御信号によって、電圧の大きさを調節し、コネクターの第１の充電ピンを介して出力させるステップＳ１０３と、を含む。
【００３８】
このコネクターの構造について以上で詳しく述べたので、ここで再び詳しく述べない。雌コネクター２０ａと雄コネクター２０ｂとが接続すると、雄コネクター２０ｂの検知ピン２１ｂにおける抵抗Ｒ２９が知的認識充電装置内に接続され、そして監視ユニット１１によって雌コネクター２０ａにおける検知ピン２１ａが接続されたことを監視でき、この検知ピン２１ａにおける電圧信号を採集して、電圧制御ユニット１２に伝送する。
【００３９】
電圧制御ユニット１２は、監視ユニット１１の採集した電圧信号を閾値電圧と比較し、この比較結果によって対応する電圧制御信号を生成させて、電圧出力ユニット１３の発生した電圧の大きさを調節し、第１の充電ピン２２ａを介して出力させることができる。
【００４０】
本実施例に係る知的認識充電方法は、雌コネクター２０ａの検知ピン２１ａにおける信号を監視し、この検知ピン２１ａにおける信号によって電圧制御を行い、対応する電圧を出力させることで、異なる電子設備に対する充電を実現する。
【００４１】
図７を参照し、上述したステップＳ１０３の後に、
第１の充電ピンにおける電圧信号を採集するステップＳ１０４と、
前記検知ピンにおける電圧信号と前記第１の充電ピンにおける電圧信号とを組合せて、１つの電圧合成信号を形成するステップＳ１０５と、
前記電圧合成信号によって、第２の電圧制御信号を発生させるステップＳ１０６と、
前記第２の電圧制御信号によって、出力電圧の大きさを調節し、前記第１の充電ピンを介して出力させるステップＳ１０７とを更に含む。
【００４２】
電圧制御ユニット１２は、前記電圧合成信号を閾値電圧と比較して、第２の電圧制御信号を発生させ、電圧出力ユニット１３がこの第２の電圧制御信号によって、出力電圧の大きさを調節して第１の充電ピン２２ａから出力させる。
【００４３】
採集、比較、調節等を繰り返す過程によって、出力電圧の安定した出力を実現でき、充電設備とマッチングする充電電圧を出力させる。この出力電圧の調節は、ＰＷＭパルス幅変調又は他の昇圧/降圧回路変調等であってよい。
【００４４】
多くの電子製品がＵＳＢコネクターで他の設備に接続されて充電されることができるが、本発明に係る知的認識充電方法は、ＵＳＢインターフェースによる接続にも対応できる。上述したステップＳ１０１について、具体的に、
雌コネクター２０ａの検知ピン２１ａにおいて信号が発生したかどうかを判断し、はいの場合にＵＳＢ充電回路をオフにし、検知ピン２１ａにおける電圧信号を採集し、いいえの場合にＵＳＢ充電回路をオンにし、出力電圧を発生させて前記雌コネクター２０ａの第２の充電ピン２３ａを介して出力させる。
【００４５】
このＵＳＢ充電回路は、常にオンになっている状態であり、即ちＵＳＢ充電回路が常に動作状態にあり、電子設備がＵＳＢコネクターによって雌コネクター２０ａに接続されると、ＵＳＢコネクターの各ピンがそれぞれ雌コネクター２０ａのピンｐｉｎ５、ピンｐｉｎ６、ピンｐｉｎ７及びピンｐｉｎ８に接続され、ＵＳＢ充電回路の発生した電圧が雌コネクター２０ａの第２の充電ピン２３ａを介して出力され、ＵＳＢコネクターで充電接続を行う電子設備に対する充電を実現する。しかし、電子設備が上述した雄コネクター２０ｂによって雌コネクター２０ａに接続されると、雌コネクター２０ａの検知ピン２１ａが接続され、その接続される抵抗Ｒ２９が信号を発生させ、そして監視ユニット１１がＵＳＢ充電回路をオフにし、電圧出力ユニット１３が対応する電圧を発生させて雌コネクター２０ａの第１の充電ピンｐｉｎ１、ｐｉｎ２を介して出力させ、異なる電子製品に対する充電を実現する。
【００４６】
本実施例は、雌コネクター２０ａの検知ピン２１ａにおける電圧信号を採集してこの電圧信号によって対応する電圧を出力させることで、異なる電子設備とマッチングして充電することができるだけではなく、ＵＳＢインターフェースによる電子設備の充電にも対応できる。
【００４７】
以上で述べたのは、本発明の好ましい実施例だけであり、これによって本発明の特許請求の範囲を制限しなく、本発明の明細書及び添付図面の内容によって行った効果が同等な構造又は流れの変換、或いは他の関連技術分野への直接又は間接な適用の全てが、本発明の特許請求の範囲に含まれる。
【図１】
2014522228.tif 000003
【図２ａ】
2014522228.tif 000004
【図２ｂ】
2014522228.tif 000005
【図３】
2014522228.tif 000006
【図４】
2014522228.tif 000007
【図５】
2014522228.tif 000008
【図６】
2014522228.tif 000009
【図７】
2014522228.tif 000010
【国際調査報告】
2014522228.tif 000011
2014522228.tif 000012
2014522228.tif 000013
2014522228.tif 000014
2014522228.tif 000015
2014522228.tif 000016